(57)【要約】【課題】信号ケーブルを簡易に壁掛け式テレビと各機器設備に連結遮蔽し、室内装飾の爽快と一体感を求めることができること。【解決手段】ケーブル整理用板と、上・下端板及び中端板からなるケーブル整理組み立て用の飾板とからなり、当該ケーブル整理用板は、ケーブルを整理まとめる波状曲線の溝穴を持ち、かつ弾力性のある材料又は金属薄片材料からなるＬ型の板であり、当該ケーブル整理組み立て用の飾板の上、下端板の端辺に粘着固定しており、当該ケーブル整理組み立て用の飾板の上・下端板は中端板を挟んで連結組み合わせて構成されること。【選択図】  図３
0003119756.tif 000002
【実用新案登録請求の範囲】
【請求項１】
ケーブル整理用板と、上・下端板及び中端板からなるケーブル整理組み立て用の飾板とからなり、
当該ケーブル整理用板は、ケーブルを整理まとめる波状曲線の溝穴を持ち、かつ弾力性のある材料又は金属薄片材料からなるＬ型の板であり、当該ケーブル整理組み立て用の飾板の上、下端板の端辺に粘着固定しており、
当該ケーブル整理組み立て用の飾板の上・下端板は中端板を挟んで連結組み合わせて構成されることを特徴とする映像、音声を送るケーブルの整理飾板装置。
【請求項２】
前記ケーブル整理組み立て用の飾板は、前記上・下端板と前記中端板で連結しており、その前記中端板は前記ケーブル整理組み立て用の飾板に必要な長さに基づいて加減することができることを特徴とする請求項1記載の映像、音声を送るケーブルの整理飾板装置。
【請求項３】
前記ケーブル整理組み立て用の飾板の前向き板面は印刷、又はペンキン塗り或いは壁紙貼りにより仕上げられることを特徴とする請求項1記載の映像、音声を送るケーブルの整理飾板装置。
【請求項４】
前記ケーブル整理組み立て用の飾板は粘着、又は嵌め込み、クリップ式或はリベット打ち込み式にて組み立てることが出来ることを特徴とする請求項1記載の映像、音声を送るケーブルの整理飾板装置。
【考案の詳細な説明】
【技術分野】
【０００１】
本考案は映像、音声機器等の信号ケーブルを整理する飾板装置であり、詳しくは客間あるいは室居所に設置されたＴＶとＤＶＤ、ビデオ，ゲームプレーヤー或いはコンピューター各機器間に連結されている信号ケーブルをまとめ遮蔽して見えないようにした板状の装置に関するものである。
【背景技術】
【０００２】
従来、テレビと各周辺の機器設備、たとえばＤＶＤ、ビデオ、ゲームプレーヤー等の信号連結ケーブルは各設備の後方に露されていた。生活レベル、科学技術のアップに伴い、広幕で薄いスクリーンの壁掛け式テレビがはやる今日、周辺機器からテレビに連結するケーブルはテレビの下側にぶらさがり見掛け上目障りで体裁のわるいものであった。
【０００３】
また、目障りで体裁の悪い連結ケーブルを良くするために、室内装飾を破壊し、または故障、修理或いは新しい機器設備を購入することともなると、コストが高いだけでなく、ケーブルの取り付け・取り外しの作業は大変であった。
【考案の開示】
【考案が解決しようとする課題】
【０００４】
そこで、本考案は、信号ケーブルを簡易に壁掛け式テレビと各機器設備に連結遮蔽し、室内装飾の爽快と一体感を求めることができることを目的とする。
【課題を解決するための手段】
【０００５】
前記目的を達成するため、本考案の映像、音声機器等の信号を送るケーブルの整理飾板装置は、ケーブル整理用板と、上・下端板及び中端板からなるケーブル整理組み立て用の飾板とからなり、当該ケーブル整理用板は、ケーブルを整理まとめる波状曲線の溝穴を持ち、かつ弾力性のある材料又は金属薄片材料からなるＬ型の板であり、当該ケーブル整理組み立て用の飾板の上、下端板の端辺に粘着固定しており、当該ケーブル整理組み立て用の飾板の上・下端板は中端板を挟んで連結組み合わせて構成されること、からなる。
【０００６】
又、前記ケーブル整理組み立て用の飾板は、前記上・下端板と前記中端板で連結しており、その前記中端板は前記ケーブル整理組み立て用の飾板に必要な長さに基づいて加減することができること、が好適である。
又、前記ケーブル整理組み立て用の飾板の前向き板面は印刷、又はペンキン塗り或いは壁紙貼りにより仕上げられること、が好適である。
又、前記ケーブル整理組み立て用の飾板は粘着、又は嵌め込み、クリップ式或はリベット打ち込み式にて組み立てることが出来ること、が好適である。
【考案の効果】
【０００７】
本考案の以上の構成により、壁掛け式テレビと連結する信号ケーブルを簡単にまとめ、遮蔽でき、取り付け、取り外し作業が容易であり、又壁面と一体感のある装置を提供することができる。
【考案を実施するための最良の形態】
【０００８】
本考案の飾板の構造、装置及び特徴を図面に基づいて説明する。
【０００９】
図3は本考案「映像、音声の信号を送るケーブルの整理飾板装置」の立体図である。即ち本考案ケーブルは整理用板21、ケーブル整理組み立て用の飾板22と固定用ボルト23から構成するものである。前記ケーブル整理用板21は弾力性のある材料或いは金属薄片材料から造られたＬ型の板で、図７に示すように二つの波形状曲線の溝を設けており、その連続穴210はケーブルを通すやや大きい空間とケーブル掛けの空間に用いる。ケーブルの頭部201の大きいものを比較的大きい空間により別の方に引き出せるようにするために、ケーブル整理用板中段部211は変形しやすい特性を有するものが良く、その材質は曲げねじり弾性のある材料、例えばプラスチックの材料等が好ましい。
【００１０】
又、図8に示すように前記ケーブル整理用板21の波状曲線の溝の一方を広めの導引穴212にすることで、前記ケーブルの頭部201を容易に下から上へ通した後整理用掛け穴213に掛け入れることができ、また余ったケーブル20は図9に示すように曲げ折畳んで整理用掛け穴213の内に入れればよい。上記ケーブル整理用板21が金属材料であるとき、厚みの薄いものは、その本身自身はプラスチック材料と同じく弾性があり、厚みが比較的厚いものはそのケーブル整理用板中段部あたりの前記溝連続穴210の両側が、内又は外側へねじ曲げられる程度のものであれば同じく本考案の目的が達せられる。
【００１１】
図5及び図６は本考案の前記ケーブル整理組み立て用の飾板22で、二枚一組の上、下端板221及び中端板220からなり、前記上、下端板221の各端には上記ケーブル整理用板21が粘着固定していて、そのすぐそばにボルト固定用穴2212があり、ボルト23にて壁掛け式テレビのスクリーン下側の壁面4に取り付け出来るようになっている（図4参考）。前記中端板220の上、下両側の端は連結用嵌め込み用凹溝2210と嵌め込み用ほぞ2211があり、別の中端板220又は上、下端板221の嵌め込み用ほぞ2211、嵌め込み用凹溝2210と組み合わせて構成されるものである。
【００１２】
又、前記中端板220は前記ケーブル整理組み立て用の飾板22の長さに基づいて加減することが出来る。前記中端板220の枚数の増減によっても調整が可能である。
【００１３】
尚、本考案は図10に示した如く、その前記ケーブル整理組み立て用の飾板22の前向き板面222は、室内の装飾或いは家具の配置に合わせて、色々な模様、色彩、画面等に印刷、ペンキ漆り或いは好みな壁紙を貼りつけることで装飾することができる。
【００１４】
以上の説明から明らかなように、壁掛け式テレビと各周辺の映像音声機器等との結合は、図1の正面配置図に示したように壁掛け式テレビ1とＤＶＤ3、ビデオ5、音響箱6間の信号ケーブル線等を本考案の信号ケーブルの整理飾板装置２にてケーブルを整理まとめ、遮蔽し、その前向き板面222は部屋、室居所の雰囲気に合わせて装飾することが出来、さらに又取り付け、取り外す作業も容易、簡単であるという、多重の双乗効果と目的を達するものである。
【図面の簡単な説明】
【００１５】
【図１】本考案と各機器設備の連結正面図である
【図２】本考案の背面の配置図である
【図３】本考案の立体図である
【図４】本考案を壁面に固定した側面図である
【図５】本考案の正面分解図である
【図６】本考案の嵌め込み詳細図である
【図７】本考案のケーブル整理用板におけるケーブル配線図である
【図８】本考案の別のケーブル整理用板におけるケーブル配線図である
【図９】本考案のケーブル整理用板におけるケーブル整理まとめ図である
【図１０】本考案のケーブル整理用の組み立て飾板の表面処理実施例図である
【符号の説明】
【００１６】
１． 壁掛け式テレビ
２． 信号ケーブルの整理飾板装置
３． ＤＶＤプレーヤー
４． 壁面
５． ビデオ
６． 音響箱
20．ケーブル
21．ケーブル整理用板
22．ケーブル整理組み立て用の飾板
23．ボルト
201．ケーブルの頭部
210．連続穴
211．ケーブル整理板の中段部
212．導引穴
213．整理用掛け穴
220．中端板
221．上、下端板
222．ケーブル整理組み立て用の飾板前向き面
2210．嵌め込み用凹槽
2211．嵌め込み用ほぞ
2212．ボルト固定用穴
【図１】
0003119756.tif 000003
【図２】
0003119756.tif 000004
【図３】
0003119756.tif 000005
【図４】
0003119756.tif 000006
【図５】
0003119756.tif 000007
【図６】
0003119756.tif 000008
【図７】
0003119756.tif 000009
【図８】
0003119756.tif 000010
【図９】
0003119756.tif 000011
【図１０】
0003119756.tif 000012